(57)【要約】【課題】照明器具を含めた機器の取り換えに柔軟に対応すると共に、パソコン等の機器の配置変更や交換に対する配線に対しても柔軟に対応する。【解決手段】天井躯体７に吊り下げ状に取り付けられる複数の吊りロッド２と、ハンガー部３ｂが下端部に形成され、吊りロッド２に高さ調整可能に取り付けられる上部ハンガー部材３と、隣接する上部ハンガー部材３におけるハンガー部３ｂに掛け渡される横長の架橋部材４と、逆Ｔ形の受部５ｂが下端部に形成され、架橋部材４に吊り下げられる複数の下部ハンガー部材５と、四角形に組み付けられた枠体及び枠体の内部に格子状に組み付けられた線材を有する格子体６とを備える。格子体６の枠体が下部ハンガー部材５の受部５Ｂに載置されて支持されることにより格子体６が天井躯体７の下方に整列状に配置され、この配置状態で線材に対する機器、看板等の吊り下げ部材の吊り下げが可能となっており、電源２０からの電力を機器に供給する中継配線器具１８が架橋部材４に沿って移動自在に支持可能となっている。【選択図】図５
2006269238.tif 000002
【特許請求の範囲】
【請求項１】
天井躯体に吊り下げ状に取り付けられる複数の吊りロッドと、
ハンガー部が下端部に形成され、前記吊りロッドに高さ調整可能に取り付けられる上部ハンガー部材と、
隣接する上部ハンガー部材におけるハンガー部に掛け渡される横長の架橋部材と、
逆Ｔ形の受部が下端部に形成され、前記架橋部材に吊り下げられる複数の下部ハンガー部材と、
四角形に組み付けられた枠体及び枠体の内部に格子状に組み付けられた線材を有する格子体とを備えており、
前記格子体の枠体が下部ハンガー部材の受部に載置されて支持されることにより格子体が天井躯体の下方に整列状に配置され、この配置状態で前記線材に対する機器、看板等の吊り下げ部材の吊り下げが可能となっており、電源からの電力を機器に供給する中継配線器具が前記架橋部材に沿って移動自在に支持可能となっていることを特徴とするシステム天井。
【請求項２】
壁躯体にＬ形の支承ハンガーが取り付けられ、前記格子体の内、壁躯体側に配置される格子体の枠体が支承ハンガーに載置されて支持されることを特徴とする請求項１記載のシステム天井。
【請求項３】
前記吊り下げ部材はフックを有し、このフックを格子体の線材に対して引っ掛けることにより線材に吊り下げられることを特徴とする請求項１又は２記載のシステム天井。
【発明の詳細な説明】
【技術分野】
【０００１】
本発明は、照明器具等の電気器具や、パソコンやレジスタ等の電子機器、その他の機器の配置変更に柔軟に対応することができるシステム天井に関する。
【背景技術】
【０００２】
展示場やデパート等の大店舗では、陳列する商品の並び替えや商品ケースの陳列レイアウトの変更、その他の変更が頻繁に行われている。また、展示室の内部における商品ケースや事務机、パーティションの変更も頻繁に行われている。これらの変更に際し、陳列商品への照明光の色や照明角度をその変更態様に合わせて変更することは、陳列される商品を見易くしたり、特定の商品を強調できる等の観点から好ましい。このためには照明器具の配置位置を変更したり、特殊照明を行う照明器具への取り換えが必要となる。また、このような照明器具の変更に加え、パソコンやレジスタ等の機器の配置や交換を陳列商品の変更態様に応じて変更する必要性も生じる。
【０００３】
特許文献１には、ロッドによって天井躯体に吊り下げられたレールに照明器具及びＴ形フックを移動可能に取り付けると共に、照明器具下部に形成したＬ形フックと上記Ｔ形フックとによって可動天井材を支持する構造が記載されている。この構造では、照明器具と可動天井材とをレールに沿って移動させることにより照明器具と可動天井材を移動させることができ、この移動によって室内の机のレイアウトに合わせて照明器具の位置を変更可能とするものである。
【特許文献１】特開平９−６３３４４号公報
【発明の開示】
【発明が解決しようとする課題】
【０００４】
しかしながら、上述した特許文献１に記載される構造では、照明器具と可動天井材とによって天井部分を形成し、これらの照明器具と可動天井材とが一体的に移動する構造となっているため、照明器具だけを取り換えることができない。このため、レイアウトに合わせた変更の自由度が極めて小さい問題を有している。また、照明器具と可動天井材とを組み付ける構造となっているため、複雑な構造となり、組み立てが面倒となると共に高価となる問題も有している。
【０００５】
さらに、特許文献１記載の構造は、照明器具の配置及びその配線だけに関するものであり、パソコン等の他の機器への配線を行うことができない。従って、適用範囲が極めて狭い汎用性の小さなものとなっている。さらに、パソコン等の他の機器の交換や配置変更の際には、その都度、コード線等の配索を別途行う必要があり、その作業が面倒となる。これに加えて、コード線等の配索は展示場や大店舗では、必然的に大がかりな作業となるため、その施工に長時間を要するばかりでなく、効率が極めて悪いものとなる。
【０００６】
本発明は、このような問題点を考慮してなされたものであり、照明器具だけでなく、照明器具を含めた機器の取り換えに柔軟に対応することができるばかりでなく、パソコン等の機器の配置変更や交換に対する配線に対しても柔軟に対応することができる汎用性を有し、さらには構造が簡単であり、組み立てが容易で、安価なシステム天井を提供することを目的とする。
【課題を解決するための手段】
【０００７】
請求項１記載の発明のシステム天井は、天井躯体に吊り下げ状に取り付けられる複数の吊りロッドと、ハンガー部が下端部に形成され、前記吊りロッドに高さ調整可能に取り付けられる上部ハンガー部材と、隣接する上部ハンガー部材におけるハンガー部に掛け渡される横長の架橋部材と、逆Ｔ形の受部が下端部に形成され、前記架橋部材に吊り下げられる複数の下部ハンガー部材と、四角形に組み付けられた枠体及び枠体の内部に格子状に組み付けられた線材を有する格子体とを備えており、前記格子体の枠体が下部ハンガー部材の受部に載置されて支持されることにより格子体が天井躯体の下方に整列状に配置され、この配置状態で前記線材に対する機器、看板等の吊り下げ部材の吊り下げが可能となっており、電源からの電力を機器に供給する中継配線器具が前記架橋部材に沿って移動自在に支持可能となっていることを特徴とする。
【０００８】
請求項１記載の発明では、吊りロッド及び上部ハンガー部材を介して架橋部材が天井躯体の下方に配置され、この架橋部材に下部ハンガー部材を吊り下げ、この下部ハンガー部材に格子体を載置して支持することにより格子体が天井躯体の下方に整列状に配置される。このように格子体が整列状に配置されることにより、任意の格子体における任意の線材に対して吊り下げ部材を吊り下げることができる。この場合における吊り下げ部材としては、線材に吊り下げられることができれば良く、照明器具だけでなく看板その他の部材を用いることができる。
【０００９】
このような構造では、吊り下げ部材の吊り下げ構造を簡単に組み立てることができ、そのための作業を簡単に行うことができる。また、吊り下げ部材を任意の格子体の任意の線材に対して吊り下げることができるため、照明器具を含めた多くの吊り下げ部材の配置位置の変更や交換に柔軟に対応することができ、汎用性の大きなものとすることができる。これに加えて、上部ハンガー部材が高さ調整可能となっているため、その高さを調整することにより格子体を天井躯体に対して高さ調整することができ、これにより、格子体に吊り下げられる吊り下げ部材の高さを任意に変更することができる。従って、高さに対する対応も柔軟に行うことができる。
【００１０】
さらに、請求項１記載の発明では、中継配線器具が架橋部材に移動自在に支持されるため、照明器具だけでなくパソコン、レジスタ等の機器に合わせて中継配線器具を移動させることができる。このため、これらの機器の配置変更や交換の際におけるコード線の配索を極めて簡単に行うことができ、柔軟で且つ汎用性の大きな対応を行うことができる。
【００１１】
請求項２記載の発明は、請求項１記載のシステム天井であって、壁躯体にＬ形の支承ハンガーが取り付けられ、前記格子体の内、壁躯体側に配置される格子体の枠体が支承ハンガーに載置されて支持されることを特徴とする。
【００１２】
請求項２記載の発明では、壁躯体に取り付けられた支承ハンガーに格子体の枠体が支持されるため、格子体が横揺れしたり、動いたりすることなく壁躯体に支持することができる。このため、整列状態に配置した格子体が安定し、格子体による吊り下げ部材の吊り下げ状態が安定する。
【００１３】
請求項３記載の発明は、請求項１又は２記載のシステム天井であって、  前記吊り下げ部材はフックを有し、このフックを格子体の線材に対して引っ掛けることにより線材に吊り下げられることを特徴とする。
【００１４】
請求項３記載の発明では、フックを格子体の線材に引っ掛けることにより吊り下げ部材の吊り下げを行うため、吊り下げ作業や吊り位置の変更作業を極めて簡単に行うことができる。
【発明の効果】
【００１５】
本発明によれば、照明器具を含めた多くの吊り下げ部材の配置位置の変更や交換に柔軟に対応することができ、汎用性の大きなものとすることができる。また、照明器具やパソコン、レジスタ等の機器に合わせて中継配線器具を移動させることができるため、これらの機器の配置変更や交換の際におけるコード線の配索を極めて簡単に行うことができ、柔軟で且つ汎用性の大きな対応を行うことができる。
【発明を実施するための最良の形態】
【００１６】
図１〜図６は、本発明の一実施形態を示し、図１は一実施形態におけるシステム天井の正面図、図２は図１と直交した側面図、図３は部分拡大正面図、図４は格子体の平面図、図５は機器への適用を示す正面図、図６は格子体の連結構造を示す正面図である。この実施形態のシステム天井１は、吊りロッド２と、上部ハンガー部材３と、架橋部材４と、下部ハンガー部材５と、格子体６とを備えている。
【００１７】
図１及び図２に示すように、吊りロッド２は展示場や店舗等の天井躯体７に上部が打ち込まれることにより、天井躯体７から垂直状に吊り下げられる。吊りロッド２は、天井躯体７の二次元方向の平面（ＸＹ平面）に所定間隔で複数が配置される。それぞれの吊りロッド２には、上部ハンガー部材３が取り付けられる。
【００１８】
上部ハンガー部材３は、クランク状に屈曲されたチャンネル構造となっており、上端部の連結部３ａが吊りロッド２に取り付けられ、この取り付け状態で吊りロッド２から垂下している。上端部の連結部３ａは、ナット１０によって吊りロッド２の下端部に取り付けられるものである。吊りロッド２の下端部には、ナット１０が螺合するねじ部２ａが形成されており、ねじ部２ａに対するナット１０の螺合位置を変更することにより、上部ハンガー部材３は吊りロッド２に高さ調整可能に取り付けられる。これにより、後述する格子体６の高さ調整が可能となっていると共に、隣接する格子体６が略同じ高さとなるように配置することができる。
【００１９】
上部ハンガー部材３の下端部は、上端部の連結部３ａと反対方向に屈曲することによりハンガー部３ｂとなっている。このハンガー部３ｂには架橋部材４が支持される。架橋部材４は横長の矩形枠状に形成されており、上部ハンガー部材３のハンガー部３ｂに載置され、ねじ止め、スポット溶接等を行うことにより上部ハンガー部材３に取り付けられる。
【００２０】
架橋部材４は、隣接する上部ハンガー部材３に掛け渡される長さを少なくとも有しており、隣接する上部ハンガー部材３に掛け渡されることにより略水平状態となって天井躯体７の下方に配置される。この場合、一の架橋部材４は横一列となっている上部ハンガー部材３に掛け渡されるものであり、他の架橋部材４はこの架橋部材４との隣接位置で略平行となるように他の上部ハンガー部材３に掛け渡される。すなわち、図２に示すように、架橋部材４は複数が略平行状態となるように配置されるものである。
【００２１】
下部ハンガー部材５は架橋部材４の長さ方向に沿って適宜間隔で複数が吊り下げられる。下部ハンガー部材５は上部がチャンネル状に屈曲された係止部５ａとなっており、この係止部５ａが架橋部材４に引っ掛けられることにより架橋部材４に吊り下げられる。それぞれの下部ハンガー部材５の下端部には、図３に示すように、逆Ｔ形の受部５ｂが形成されている。架橋部材４に吊り下げられた状態において、下端部の受部５ｂはフリー状態となっており、このフリー状態の受部に対して格子体６が支承される。なお、下部ハンガー部材５は架橋部材４の長さ方向に沿って適宜移動調整可能となっており、この移動調整により下部ハンガー部材５は格子体６の寸法に合わせた位置にセットすることが可能となっている。
【００２２】
格子体６は図４に示すように、外側の枠体６ａ，６ｂと、枠体６ａ，６ｂの内部に格子状に組み付けられた線材１５，１６とを有しており、平面から見て正方形、長方形等の四角形に組み付けられている。枠体６ａ，６ｂは、いずれも逆Ｔ状の鋼材が使用されており、枠体６ａに対して枠体６ｂが直交するように組み付けられ、この組み付けにより格子体６の外形が四角形に成形される。なお、枠体６ａ、６ｂの表面にアルマイト処理が施されることにより、枠体６ａ、６ｂは防錆性を有したものとなっている。
【００２３】
線材１５は枠体６ａと平行となり、線材１６は枠体６ｂと平行となるように複数が組み付けられる。このような方向への線材１５，１６の組み付けにより線材１５，１６が格子状となる。線材１５，１６としては、スチール線等の金属材が使用され、その表面には、静電粉体が焼き付け塗装されている。この塗装により、照明器具等の電気機器に対するショートを防止することが可能となっている。
【００２４】
この格子体６は、枠体６ａ、６ｂが上述した下部ハンガー部材５の受部５ｂに載置されることにより下部ハンガー部材５に支持される。この支持により、格子体６は天井躯体７の下方に配置される。そして、この配置状態で、後述するように格子体６の線材１５，１６に対して照明器具、看板等の吊り下げ部材の吊り下げが行われる。
【００２５】
格子体６の複数が下部ハンガー部材５の受部５ｂに載置されて支持されることにより、格子体６が整列状に配置される。このような配置において、壁躯体８側に位置する格子体６に対しては、図１及び図２に示すように、壁躯体８への連結が適宜行われる。すなわち、壁躯体８の表面には、Ｌ形の支承ハンガー１７がねじ止め等により固定されており、このＬ形の支承ハンガー１７に対して、壁躯体８側の格子体６における枠体６ａ又は６ｂが載置される。この載置により、壁躯体８側の格子体６が支承ハンガー１７に支持される。このため、壁躯体８側の格子体６が良好な固定状態となり、整列状となっている格子体６の全体が横揺れしたり、動いたりすることなくなる。従って、整列状態に配置した格子体６が安定するため、格子体６による吊り下げ部材の吊り下げ状態が安定する。
【００２６】
上部ハンガー部材３に掛け渡されることにより、略水平状となっている横長状の架橋部材４には、図５に示すように中継配線器具としての中継コンセント１８が移動可能に取り付けられる。中継コンセント１８は、その脚部１８ａが架橋部材４に対してスライド可能に係合しており、脚部１８ａがスライドすることにより中継コンセント１８は上部ハンガー部材３の間を自由に移動することが可能となっている。中継コンセント１８は、コード線２１を介して電源２０に電気的に接続されており、格子体６に吊り下げられた照明器具２３や室内に配置されるパソコン、レジスタ等の電子機器２４に対して電力を供給する。
【００２７】
図５において、２５は電源２０からのコード線２１が引っ掛けられるガイドロッドであり、天井躯体７に打ち込まれて吊り下げられている。このようなガイドロッド２５を設けることにより、複数のコード線２１を絡むことなく配索することが可能となる。
【００２８】
次に、この実施形態の組み付けを説明する。天井躯体７から吊り下げられた状態の複数の吊りロッド２に対し、ナット１０によって上部ハンガー部材３を吊り下げ、この吊り下げ状態で隣接している上部ハンガー部材３のハンガー部３ｂに対して架橋部材４を掛け渡すことにより複数の架橋部材４が略平行となるように支持する。そして、架橋部材４の適宜位置に複数の下部ハンガー部材５を吊り下げる。この場合、下部ハンガー部材５の吊り下げ間隔は使用する格子体６の大きさに合わせて設定されるものである。
【００２９】
下部ハンガー部材５を吊り下げた後、下部ハンガー部材５の受部５ｂに対して格子体６の枠体６ａ、６ｂを載置することにより格子体６を支持して格子体６を整列状に配置する。また、壁躯体８側の格子体６に対しては、その枠体６ａ又は６ｂを適宜、支承ハンガー１７に載置して支持するが、その必要がない場合には、支承ハンガー１７を省略する。この場合、適宜の組み付け段階で、ナット１０の螺合位置を調整して整列状の格子体６が略水平となるように高さ調整する。
【００３０】
一方、架橋部材４に対しては、その脚部１８ａを係合させることにより中継コンセント１８をスライド可能に取り付ける。この中継コンセント１８を架橋部材４に複数配置することにより、配線構造への柔軟な対応が可能となる。
【００３１】
図５は以上の組み付けを終了した状態に対して吊り下げ部材等を配置する場合を示す。照明器具２３に代表される吊り下げ部材は、フック２３ａを有しており、このフック２３ａを格子体６の線材１５又は１６に引っ掛けることにより吊り下げ部材が格子体６から吊り下げられる。このようなフック２３ａを引っ掛けることによる吊り下げでは、吊り下げ部材の吊り下げを簡単に行うことができる。
【００３２】
また、パソコン、レジスタ等の電子機器２４の配置位置が決定した場合、中継コンセント１８をスライド移動させて、その電子機器２４との近接位置に配置する。そして、この中継コンセント１８に対し、コード線２６，２７を接続する。これにより、照明器具２３や電子機器２４に対して電力を供給することができる。
【００３３】
このような実施形態では、照明器具２３等の吊り下げ部材の吊り下げ構造を簡単に組み立てることができ、そのための作業を簡単に行うことができる。また、吊り下げ部材は任意の格子体６の任意の線材１５又は１６に対して吊り下げることができるため、多くの吊り下げ部材の配置位置の変更や交換に柔軟に対応することができ、汎用性の大きなものとなる。また、上部ハンガー部材３が高さ調整可能となっているため、格子体６を天井躯体７に対して高さ調整することができる。従って、格子体６に吊り下げられる吊り下げ部材の高さを任意に変更することができ、高さに対する対応も柔軟に行うことができる。
【００３４】
また、この実施形態では、中継配線器具としての中継コンセント１８が架橋部材４に移動自在に支持されるため、照明器具２３だけでなくパソコン、レジスタ等の電子機器２４の配置位置に合わせて中継コンセント１８を移動させることができる。このため、これらの電子機器２４の配置変更や交換の際におけるコード線の配索を極めて簡単に行うことができ、これによっても柔軟で且つ汎用性の大きな対応を行うことが可能となる。
【００３５】
図６は別の実施形態を示す。この実施形態では、隣接する格子体６を相互に連結するものであり、連結のためのジョイント部材３０が用いられる。ジョイント部材３０は、逆Ｔ形の本体部３１と、本体部３１の両側に配置されたジョイント体３２とを備えている。ジョイント体３２は、下端部が本体部３１に固定されて本体３１の長さ方向に沿って上方に延びており、その上方部分には外側に膨出する変形部３２ａが一体的に形成されている。
【００３６】
このジョイント部材３０は、隣接する格子体６における枠体６ａ又は６ｂを連結するものであり、図示する形態においては、紙面貫通方向に配置された枠体６ａ（図示省略）を連結するために用いられる。この枠体６ａに対しては、図６に示すように枠体６ｂが直交する方向に延びている。ジョイント部材３０は、隣接する枠体６ａの境界部分に配置される。この場合、ジョイント体３２を隣接する枠体６ａの溝に差し込み、この状態で変形部３２ａを押し潰して変形させることにより、隣接した枠体６ａを連結する。このような連結により、隣接する格子体６が強固に連結されるため、格子体６の整列状態を安定的に維持することが可能となる。
【００３７】
本発明は以上の実施形態に限定されることなく種々変形が可能である。例えば、上部ハンガー部材３の高さ調整をねじ及びナット１０によって行うことなく、複数の孔及び孔に挿入されるロッドによって行っても良い。また、架橋部材４の断面形状は矩形状以外の形状であっても良く、例えば、帯状とすることができる。さらに、ジョイント部材３０を省略しても良い。
【図面の簡単な説明】
【００３８】
【図１】本発明の一実施形態におけるシステム天井の正面図である。
【図２】図１の直交方向における側面図である。
【図３】図１における部分拡大正面図である。
【図４】格子体の平面図である。
【図５】機器の配置への対応を示す正面図である。
【図６】格子体の連結構造を示す正面図である。
【符号の説明】
【００３９】
１  天井システム
２  吊りロッド
３  上部ハンガー部材
３ｂ  ハンガー部
４  架橋部材
５  下部ハンガー部材
５ｂ  受部
６  格子体
６ａ，６ｂ  枠体
７  天井躯体
８  壁躯体
１５，１６  線材
１７  支承ハンガー
１８  中継コンセント
２０  電源
２３  照明器具
２３ａ  フック
２４  電子機器
【図１】
2006269238.tif 000003
【図２】
2006269238.tif 000004
【図３】
2006269238.tif 000005
【図４】
2006269238.tif 000006
【図５】
2006269238.tif 000007
【図６】
2006269238.tif 000008